(57)【特許請求の範囲】
【請求項１】
移動局（ＭＳ）であって、この移動局は、
ＭＭＣマルチメディアカード（３）を使用するためのインターフェース・カード・スロット（ＳＬＯＴ）を含み、このＭＭＣカードは、その外面に、データ伝送及び給電のための複数の接点面からなる第１接点面グループ（Ｋ２）を含んでおり、
一定の第１電圧を供給する第１電圧源（ＰＷＲ、７Ａ２０）を含み、
ＭＭＣカードからデータを読み出すと共にＭＭＣカードにデータを書き込むためのデータ伝送手段（μＰ）を含み、
該インターフェース・カード・スロットは、
ＭＭＣカードを少なくとも部分的に受け入れる第１スペース（Ｒ０）を確定する壁（Ｗ１）並びに、
ＭＭＣカードを前記第１スペースに着脱可能に取り付けるための第１取り付け手段（Ｈ１）と、
ＭＭＣカードの一定の接点面に第１電圧を結合させるための第１結合手段（Ｃ１，Ｐ１１，Ｐ１２，Ｐ１３，ＩＦ）と、
該データ伝送手段をＭＭＣカードの一定の接点面に結合させるための第２結合手段（Ｃ１，Ｐ１１，Ｐ１２，Ｐ１３，ＩＦ）と、
を含んでおり、該移動局は、更に、
ＳＩＭカード（加入者識別モジュール、１）を前記第１スペースに着脱可能に取り付けるための第２取り付け手段（Ｈ１，７＆６）を含み、そのＳＩＭカードは、複数の接点面からなる第２接点面グループ（Ｋ１）を有し、
一定の第２電圧を供給するための第２電圧源（ＰＷＲ、７Ａ２０）を含み、
前記第２電圧を該ＳＩＭカードの一定の接点面に結合させるための第３結合手段（ＩＦ，Ｃ２１＆Ｐ１１，Ｃ２２＆Ｃ１＆Ｐ１１＆Ｐ１２，Ｃ１＆Ｋ２ｂ＆Ｃ２３＆Ｐ１３）を含み、
前記データ伝送手段をＳＩＭカードの一定の接点面に結合させるための第４結合手段（ＩＦ、Ｃ２１＆Ｐ１１，Ｃ２２＆Ｃ１＆Ｐ１１＆Ｐ１２，Ｃ１＆Ｋ２ｂ＆Ｃ２３＆Ｐ１３）を含み、
前記の第１及び第２の結合手段は、ＭＭＣカードの接点面の少なくとも幾つかに対応する複数の接点ピンからなる第１接点ピングループ（Ｃ１）を含んでおり、
この第１接点ピングループの各接点ピンは該データ伝送手段をＭＭＣカードの一定の接点面に結合させるために該インターフェース・カード・スロットに差し込まれたＭＭＣカードの１つの接点面に弾力的に押しつけられるようになっており、
前記の第３及び第４の結合手段は、ＳＩＭカードの接点面の少なくとも幾つかに対応する複数の接点ピンからなる第２接点ピングループ（Ｃ２１，Ｃ２２，Ｃ２３）を含んでおり、
この第２接点ピングループの各接点ピンは、該データ伝送手段をＳＩＭカードの一定の接点面に結合させるために該インターフェース・カード・スロットに差し込まれたＳＩＭカードの１つの接点面に弾力的に押しつけられるようになっており、
前記移動局は、更に、該第１電圧源又は該第２電圧源のいずれか一方を使用されるべき電圧源として選択するための選択手段（７Ａ２０）を含み、
前記移動局は、更に、該インターフェース・カード・スロットに据えられたＳＩＭカード又はＭＭＣカードを制御するためのＡＳＩＣ回路を含むことを特徴とする移動局。
【請求項２】
前記の第１及び第２の接点ピングループの少なくとも幾つかの接点ピンは共通であることを特徴とする、請求項１に記載の移動局。
【請求項３】
前記第２取り付け手段で前記インターフェース・カード・スロットに取り付けられたＳＩＭカードは、前記第１接点ピングループの一部分が１列に置かれたＳＩＭカードの接点面の第１部分と接触し、前記第２接点ピングループがＳＩＭカードの該接点面の第２部分と接触することとなるような位置に落ち着くことを特徴とする、請求項１に記載の移動局。
【請求項４】
該移動局は、更に、アダプタ（７）を含んでおり、該アダプタは、前記第１取り付け手段で前記アダプタが前記第１スペース（Ｒ０）に置かれ得るように、その形状及びサイズがＭＭＣカードに実質的に対応し、
該アダプタの底に第２スペース（Ｒ２）が形成されており、該第２スペースは小型ＳＩＭカードを受け入れることができ、該アダプタは、
ＳＩＭカードを前記第２スペース（Ｒ２）に着脱可能に取り付けるための前記第２取り付け手段（７，６）と、
ＳＩＭカードの使用される接点面と接触するように、少なくとも該接点面の一部分に対応する前記第２接点ピングループ（Ｃ２１，Ｃ２２，Ｃ２３）と、
ＭＭＣカードの接点面と実質的に同様の複数の接点面からなる第３接点面グループと、
アダプタにおいて該インターフェース・カード・スロットに差し込まれたＳＩＭカードの一定接点面を該第３接点面グループのうちの一定の接点面に結合させると共に更に該第１結合手段を通して該第２電圧源に結合させ、且つＳＩＭカードの一定の接点面を該第３接点面グループのうちの一定の接点面に結合させると共に更に該第２結合手段を通して前記データ伝送手段に結合させるために、該第２接点ピングループを一定の対応関係に従って前記第３接点面グループに結合させるための第５結合手段（Ｃ７）と、
を含むことを特徴とする、請求項１に記載の移動局。
【請求項５】
該アダプタの１つの接点面は接地されており、
該アダプタが該インターフェース・カード・スロットに置かれたことに起因する接地への応答として該選択手段は、該第２電圧源を前記第１接点ピングループのうちの少なくとも１つの接点ピンに結合させて前記第２電圧をＳＩＭカードの接点面に結合させるようになっていることを特徴とする、請求項４に記載の移動局。
【請求項６】
前記アダプタはＭＭＣカードの形状からずれた形状（ＲＣ１）を有し、その形状は、ＭＭＣカードの形状から突出した部分及びＭＭＣカードの形に作られた凹部のうちの一方であり、
該第２インターフェース・カード・スロットは、ＭＭＣカードの形からずれている該アダプタのこの形に対応するスイッチ（μＳ）を含んでおり、
前記スイッチは該インターフェース・カード・スロットにアダプタが存在することを該選択手段に指摘するようになっており、
その指摘に対する応答として該選択手段は該第２電圧源を選択するようになっていることを特徴とする、請求項４に記載の移動局。
【発明の詳細な説明】
【０００１】
【発明の属する技術分野】
本発明は、移動局への電子インターフェース・カードの接続に関する。
【０００２】
【従来の技術及び発明が解決しようとする課題】
今日、移動局では、加入者を識別するためにインターフェース・カードＳＩＭ（加入者識別モジュール）を使うのが普通であり、それは普通は例えば電話番号などを蓄積しておく不揮発性メモリーも含んでいる。ＳＩＭカードには２つの規格化されたサイズがあり、そのうちの小さい方のＳＩＭカードは長さが約２５ｍｍ、幅が１４ｍｍ、厚みが１ｍｍ未満であり、その表面は一定の方法で配列された伝導性の表面を含んでいる。ＳＩＭカードを使用する移動局は、所要の接触面のある電気接点を形成するバネ負荷接点ピンを有し、これを使って移動局はＳＩＭカードへ、また逆に自分自身のメモリーへ、情報を電気的に送ることができる。ＳＩＭカードは、制御ユニット（ＣＰＵ、中央処理装置）、プログラム・メモリー（ＲＯＭ、読み出し専用メモリー）、長期間記憶に適するデータ・メモリー（ＥＥＰＲＯＭ、電気的に消去可能なプログラマブル読み出し専用メモリー）及び実行時間記憶に適するデータ・メモリー（ＲＡＭ、ランダムアクセスメモリー）を含んでいる。移動局を使用するには、該電話を使用するとき、最も普通には該移動局をオンにするとき、ＳＩＭモジュールに記憶されている個人識別番号をキーで入力する必要がある。ＳＩＭモジュールのデータ・メモリーを、電話番号やメッセージなどの他のユーザー特有のデータを蓄積するために使うこともできる。
【０００３】
情報技術が急速に発達しているので、新しい移動局はコンピュータのような機能をますます多く持つようになるであろう。それは作業メモリーとして役立ついわゆるＲＡＭメモリー（ランダムアクセスメモリー）をますます多く必要とし、マイクロコンピュータから良く知られている周辺装置も移動局に使われるようになるかも知れない。しかし、移動局は、ユーザーがそれを運びたいときに例えばベルトポーチなどに入れて運べるように小型、軽量に設計され製造されなければならないことがしばしばある。その場合には、携帯式マイクロコンピュータから知られている解決策では、使うにはサイズが大きすぎて且つ重過ぎるるという結果に簡単になってしまう。このことが、ノキア・モバイル・フォーンズＬｔｄ．がノキア９１１０コミュニケータと呼ばれる移動電話モデルを市場に出した理由であり、それは携帯式コンピュータと移動局とを結合させてコンパクトなユニットとしたものである。この装置は、装置の作業メモリーを増やすために新しいマルチメディア・カード（SanDisk MultiMediaCard）を使うことができる。付加的に、プログラムや、例えば会社の電話カタログなどをマルチメディア・カードに記憶させておくこともできる。以降、SanDisk マルチメディア・カードをＭＭＣカードと略称する。ＭＭＣカードの長さは３２ｍｍであり、幅は２４ｍｍ、厚さは１．４ｍｍである。これらのカードのために、ノキア９１１０コミュニケータは独自のインターフェース・カード・スロットを包含しており、これにＭＭＣカードを置くことができる。
【０００４】
将来、第２の小型ＳＩＭカードを移動局に取り付けられるようになる。２つのＳＩＭカードで、ユーザーは２つの異なる移動通信ネットワークのサービスを利用できる。しかし、その第２のＳＩＭカードはそれ独自のインターフェース・カード・スロットを必要とする。もし移動局がＭＭＣカード用のインターフェース・カード・スロットを包含するならば、それは３つの異なるインターフェース・カード・スロットを必要とすることになる。どのインターフェース・カード・スロットも依然としてそれ自身のスペースと、それに取り付けられたカードを使用するための手段とを必要とする。目的が異なることに加えて、ＳＩＭカード及びＭＭＣカードの物理的手段、接触面のグループ分け、及び動作電圧は異なる。
【０００５】
サイズの異なるインターフェース・カードを使用できるようにする接続装置が特許公報ＵＳ５，３３６，８７７から知られている。該公報は、小型のＳＩＭカードを、その接点面がもっと大きなインターフェース・カードを使用するための接点ピンと結合するように独自のアダプターと整列させるようになっている発明を開示している。しかし、もっと大きなカードの接点の一部を持っていないカードを該公報の装置に接続することが可能に思われるとしても、接点は、それらの使用目的に関して同じ順序で並んでいなければならず、また、そのピッチは同じでなければならない。該公報の発明の目的は、２種類の異なる電話カードを同じ電話機に使えるように改造することである。
【０００６】
【課題を解決するための手段】
小型ＳＩＭカード又はScandiskＭＭＣカードを移動局に接続するために使用できるインターフェース・カード・スロットを含む移動局が発明されている。該移動局は、ＧＳＭから知られている小型のプラグインＳＩＭカードをＭＭＣカード用の、ＭＭＣカードのサイズのインターフェース・カード・スロットに物理的に且つ電気的に適合させて、ＭＭＣカードが該インターフェース・カード・スロットに存在しないときにＳＩＭカードとして使用できるようにするための手段を持っている。更に、該移動局は、該インターフェース・カード・スロットに現在存在するＳＩＭカード又はＭＭＣカードを該カードの前記インターフェース・カード・スロットにおける使用方法と同様の方法で移動局に使用させるための手段を有する。
【０００７】
本発明の移動局のインターフェース・カード・スロットは、該移動局の通常使用時に、少なくとも部分的に挿入されたＳＩＭカード又はＭＭＣカードを定位置に保持するための機械的支持物を含んでいる。更に、該移動局は、現在のインターフェース・カードの使用されている接点面を該移動局の、該インターフェース・カードを制御し使用する電子装置と結合させる結合手段を含んでいる。結合手段は、少なくともＭＭＣカードを該移動局に結合させるためのＭＭＣカードの接点面のグループに対応する接点装置と、一定の実施態様ではＳＩＭカードの接点面を該移動局に結合させるための接点装置のグループとを含んでいる。これらの実施態様では、例えば、ＳＩＭカードをＭＭＣカードのサイズに変える、ＭＭＣカードの接点面のグループに合う接点面のグループを含むアダプター・カードを使用することによってＭＭＣカード用の接点装置を通してＳＩＭカードの接点面の一部又は全部を随意に結合させることができる。この場合には、移動局は、現在のインターフェース・カードを識別してその現在のインターフェース・カードに適する動作電圧を特定すると共に、該移動局が該インターフェース・カードを使用できるように該インターフェース・カードの接点面の結合を経路指定するための手段も含む。本発明の第１実施態様のインターフェース・カード・スロットは、ＳＩＭカード及びＭＭＣカードを使用するための別々の接点ピンを含む。本発明の第２実施態様の移動局のインターフェース・カード・スロットの接点ピンの一部は共通である、即ち多重化されている。本発明の第３実施態様に従う移動局のインターフェース・カード・スロットの接点ピンは、全て、共通であり、即ち多重化されており、ＳＩＭカードの接点面はアダプターによってＭＭＣカードの接点面のグループに対応する。
【０００８】
本発明の第１実施態様に従う移動局は：
ＭＭＣマルチメディアカード（SanDisk MMC-MultiMediaCard）を使用するためのインターフェース・カード・スロットを含んでおり、このＭＭＣカードは、その外面に、データ転送及び給電のためのグループ化された接点面の第１グループを含んでおり；
所定の第１電圧を与える第１電圧源を含み；
ＭＭＣカードからデータを読み出すと共にＭＭＣカードにデータを書き込むためのデータ伝送手段を含み；
該インターフェース・カード・スロットは：
ＭＭＣカードを少なくとも部分的に受け入れる第１スペースを確定する壁と、ＭＭＣカードを前記スペースに着脱可能に取り付けるための第１取り付け手段と；
ＭＭＣカードの一定の接点面に第１電圧を結合させるための第１結合手段と；
該データ伝送手段を該ＭＭＣカードの一定の接点面に結合させるための第２結合手段とを含んでおり；該移動局は：
ＳＩＭカードを前記第１スペースに取り付けるための第２取り付け手段を含み、そのＳＩＭカードは、グループ化された接点面の第２グループを有し；
所定の第２電圧を与えるための第２電圧源を含み；
前記第２電圧を該ＳＩＭカードの一定の接点面に結合させるための第３結合手段を含み；
前記データ伝送手段を該ＳＩＭカードの一定の接点面に結合させるための第４結合手段を含むことを特徴とする。
【０００９】
本発明の第２実施態様に従う移動局は：
機械的及び電気的に２種類の交換可能なインターフェース・カード、即ち第１及び第２の種類のインターフェース・カード、のためのインターフェース・カード・スロットを含んでおり、該インターフェース・カードは、その種類に従って、一定のサイズ、用途、及び一定方法でグループ化された接点面を有し、これらのインターフェース・カードのサイズ、用途及び接点面のグループ化は互いにずれており；
該第１種類のインターフェース・カードの接点面と接触するための第１接点装置を含み；
該第２種類のインターフェース・カードの接点面と接触するための第２接点装置を含み；
該第１種類のインターフェース・カードを該インターフェース・カード・スロットに着脱可能に取り付けるための手段を含み；
該第２種類のインターフェース・カードを該インターフェース・カード・スロットに着脱可能に取り付けるための手段を含み；
該移動局がそれに取り付けられたインターフェース・カードを使用できるように、該インターフェース・カード同士の違いに基づいて該インターフェース・カードの種類を該移動局に指摘するための手段を含むことを特徴とする。
【００１０】
移動局のインターフェース・カード・スロットが２種類の交換可能なインターフェース・カードに機械的に且つ電気的に適合させられ、これらのインターフェース・カードの接点面のサイズ及びグループ化が互いにずれている、本発明の方法のために：
第１又は第２の種類のインターフェース・カードが該インターフェース・カード・スロットに取り付けられ；
第１グループの接点装置を用いることによって第１の種類のインターフェース・カードが該移動局に結合され；
第２グループの接点装置を用いることによって第２の種類のインターフェース・カードが該移動局に結合され；
現在のインターフェース・カードの種類が該移動局に示され、該移動局がそれに結合しているインターフェース・カードを使用できることを特徴とする。
【００１１】
次に添付図面を参照して本発明を詳しく説明する。
【００１２】
【発明の実施の形態】
図１は、小型のＳＩＭカード１と、その上でのＩＳＯ規格７８１６−２：１９９８に従う接点面のグループ、並びにＭＭＣカード３及びその接点面のグループを示している。ＳＩＭカードには、等距離を置く４個の接点面を各々含む２本の真っ直ぐで平行な列に分けられた８個の接点面がある。ＭＭＣカードの７個の接点面は全て等間隔を置いて１つの真っ直ぐな列をなしている。両方のカードの、１つの列の接点面はほぼ同じピッチで分割されている。ＳＩＭカードの接点面には１列あたりに連続する参照番号ｉ１・・・ｉ８が付されており、ＭＭＣカードの接点面には参照番号Ｍ１・・・Ｍ７が連続的に付されている。ＳＩＭカードの接点面の中心点間の距離即ちそのピッチは２．５４ｍｍであり、ＭＭＣカードの接点面の対応する寸法は２．５ｃｍである。従って、ＳＩＭカードの１列の接点面を、ＭＭＣカードの７個の接点面のうちの４個と接触するのに使用され得るのと同じ接点ピンと結合させることができる。前記ＩＳＯ規格は、ＳＩＭカードの接点面４及び８を将来の利用のためにとっておかれるものと定めており、それらを必ずしも使用しなくても良い。ＳＩＭカードの接点面の用途が表Ｉに提示され、ＭＭＣカードの接点面の用途が表ＩＩに提示されている。
【００１３】
0004724806.tif 000002
【００１４】
0004724806.tif 000003
【００１５】
図２は、本発明の移動局の構造をブロック図として示している。移動局ＭＳは、無線部ＲＦと、無線メッセージを送ったり受け取ったりするためのアンテナＡＥＲと、該移動局を制御するためのプロセッサμＰと、該プロセッサの動作プログラムを蓄積しておくためのメモリーＭＥＭと、該移動局を操作するためのユーザーインターフェースＵＩと、インターフェース・カード・スロットＳＬＯＴを該移動局に結合させるための結合インターフェースとを含んでいる。更に、該移動局は電圧原ＰＷＲを含んでいて、これは、該結合インターフェースを通して該インターフェース・カード・スロットに結合されるべきインターフェース・カードに動作電圧を供給する。該電圧源は、好ましくは、該移動局の電源の２つの異なる電圧出力であるか、或いはその電圧を現在のインターフェース・カードに合うように調整することのできる特別の電源回路から供給される一定の制御可能な電圧出力である。
【００１６】
図３は本発明の移動局の構造を示している。インターフェース・カード・スロットＳＬＯＴが該移動局に統合されている。該インターフェース・カード・スロットは壁Ｗ１により確定されたスペースＲ０を有し、このスペースはＭＭＣカード又はＳＩＭカードを内蔵するようになっている。壁Ｗ１の少なくとも幾つかは、好ましくはその他の部分が該移動局の構造に属する部品である。１つの壁は、例えば、該移動局のカバーの一部分、該移動局の内側にあるコンポーネント、回路基板の一部分、又はインターフェース・カード用に作られて該移動局に取り付けられて、該インターフェース・カード・スロットに滑り込んだインターフェース・カードを片側から支持する棒であって良い。壁は硬くなくても良くて、網、少なくとも１つの棒、或いは、部材を繰り返し取り付けるのに適する当業者に知られている他の構造で該壁を形成することができる。いずれの場合にも、移動局の内側に置かれるインターフェース・カードのためのスペースをとっておかなければならず、そのスペースは、少なくとも、インターフェース・カードが移動局に挿入されたときに移動局の内側に入るインターフェース・カードの部分のサイズでなければならない。インターフェース・カード・スロットが空であるときには、例えばバネで負荷をかけた可動壁により、該スペースが小さくなるように構成することができる。
【００１７】
図４、図５、図６及び図７は、本発明の３つの別々の実施態様に従う、ＳＩＭカード及びＭＭＣカードのためのロータリーコネクタを示しており、該コネクターはＳＩＭカード及びＭＭＣカードに共通のインターフェース・カード・スロットの回路基板にはんだ付けされる。各ロータリーコネクタは、好ましくは、その上面から突出して互いに電気的に絶縁される可撓性接点ピンのグループを有するプラスチック部材である。接点ピンはロータリーコネクターの下縁の、その一方の側のはんだ付けピンに、該ロータリーコネクタの下の回路基板のはんだ付けポイントにはんだ付けされ得るように、結合されている。本発明の第１実施態様のロータリーコネクタでは、コネクタは多重化されていなくて、ＳＩＭカード及びＭＭＣカードは別々のコネクタを有する。本発明の第２実施態様のロータリーコネクタでは、該コネクタの一部分が多重化されている。本発明の第３実施態様のロータリーコネクタでは、ＳＩＭカードの全てのコネクタが、特別のアダプタを用いることによってＭＭＣカードのコネクタと多重化されている。
【００１８】
図４は、本発明の第１実施態様の第１特徴に従って、小型ＳＩＭカード１と、ＭＭＣカードのサイズの外側寸法を持ったＳＩＭカード用アダプタ２と、ＭＭＣカード３と、第１ロータリーコネクタ４と、ロータリーコネクタのその定位置に第１システムＳ１として据え付けられたＭＭＣカードと、ロータリーコネクタのその定位置に第２システムＳ２として据え付けられた小型ＳＩＭカードとを示している。該ロータリーコネクタは、その前縁（図では右側）に、ＭＭＣカードを使用するための、ＭＭＣカードの接点面用のＭＭＣコネクタ列Ｃ１を有し、中央部分に、ＳＩＭカードの接点面のグループ分けに対応してグループ化された第１グループのコネクタＣ２１を有する。ＭＭＣコネクタ列は７個のコネクタを有し、第１コネクタ・グループは６個のコネクタを有する。ＳＩＭカード及びＭＭＣカードの両方を使用するためのコネクタは、好ましくは、ロータリーコネクタから突出する曲がった銅リード線であり、それはロータリーコネクタの内部に続いていて、その他方の端部がロータリーコネクタの下縁の側に、ロータリーコネクタの下に配列されている回路基板のはんだ付けポイントに該コネクタを結合させるための第１はんだ付けピンＰ１１を形成している。この様にして、ロータリーコネクタのためのインターフェース・カード・スロットに取り付けられたインターフェース・カードの必要な接点面を、インターフェース・カードを使って移動局の手段（この手段については後に説明をする）に結合させることができる。
【００１９】
ＭＭＣカードをそのまま図４のインターフェース・カード・スロットに据え付けることができるけれども、ＳＩＭカードは始めにＭＭＣカードのサイズのアダプタ２の中に入れ、その後にＳＩＭカードを含む該アダプタをＭＭＣカードの代わりにロータリーコネクタ４に据え付けなければならない。この様に、該アダプタはＳＩＭカードを定位置に保持し、コネクタ・グループＣ２１のコネクタが該ＳＩＭカードの接点面Ｋ１と接触する。
【００２０】
図５は、インターフェース・カード・スロットの、図４に従うロータリーコネクタの修正形を示しており、この形ではＳＩＭカードをアダプタ無しで、そのためのコネクタのグループＣ２１に対向させて据えることが可能である。この図において、該コネクタ・グループはロータリーコネクタの端の近くへ移されている。ＳＩＭカードがロータリーコネクタの端沿いに定位置まで滑り込まされ、ロータリーコネクタの端まで押し込まれる。ＳＩＭカードを定位置に保持するために、ホルダＨ０がロータリーコネクタの側から該ＳＩＭカードの上に達しており、該ホルダは好ましくはロータリーコネクタの端に形成された可撓性プラスチック延長部であり、該ホルダは、インターフェース・カード・スロットに置かれたＳＩＭカード又はＭＭＣカードを軽く圧迫して、特にＳＩＭカードを定位置に保持するように構成されている。明確にするために、該カードの下の接点面はＳＩＭカード１上に破線で描かれている。ロータリーコネクタのコネクタは、ロータリーコネクタに据えられたＳＩＭカードの接点面と接触する。この形では、図４の構造との本質的相違は、無くなったり忘れられたりしてＳＩＭカードの使用を妨げる可能性のある独立のアダプタ・カードが無くてもＳＩＭカードを使用できることである。この例では、インターフェース・カード・スロットは、ＳＩＭカードの斜めの端を始めに受け入れるようになっているので、ＳＩＭカードの接点面は接点ピンＣ１に触れない。この様にして、ＳＩＭカード及びＭＭＣカードのために別々の接点ピンを配列することが可能となっている。
【００２１】
図６は、小型ＳＩＭカード１と、ＭＭＣカード３と、本発明の第２実施態様の１つの第２ロータリーコネクタ５と、該第２ロータリーコネクタに第３システムＳ３として据えられたＭＭＣカードと、該第２ロータリーコネクタに第４システムＳ４として据えられた小型ＳＩＭカードとを示している。該ロータリーコネクタは、その前縁にコネクタ列Ｃ１及び他のコネクタ・グループＣ２２を有し、該コネクタ・グループＣ２２は、コネクタ列Ｃ１に平行であり、ＳＩＭカードを接続するための、２．５４ｃｍのピッチの３個の接点ピンを有する。コネクタ・グループＣ２２のコネクタが、接点面を下に向けて該ロータリーコネクタに据え付けられたＳＩＭカードの１コネクタ列の３つの接点面と接触できると共に、コネクタ列Ｃ１の３つのコネクタがＳＩＭカードの他の３つの接点面と接触できるように、コネクタ・グループＣ２２のコネクタは３個のコネクタのレベルで該コネクタ列と直に向かい合う。はんだ付けピンＰ１２は、コネクタ列Ｃ１及びＣ２２を回路基板に結合させるために配列されている。
【００２２】
図７は、小型ＳＩＭカード１と、ＭＭＣカード３と、本発明の第３実施態様に従う第３ロータリーコネクタ５と、該第３ロータリーコネクタに第５システムＳ５として据え付けられたＭＭＣカードと、第２ロータリーコネクタに第６システムＳ６として据え付けられた小型ＳＩＭカードとを示している。ＳＩＭカードはＭＭＣカードのサイズに適合されていて、ＭＭＣカードのそれに対応する接点面が第２アダプタ７によって設けられている。該第２アダプタは、サイズ及び形状がＭＭＣカードに似ていて、凹部を有し、そこにＳＩＭカードがはまり込む。該第２アダプタの、該凹部の底に、該凹部に１方向からだけはまり込むＳＩＭカードの接点面に対応するコネクタＣ２３がある。コネクタＣ２３は、該第２アダプタにリード線を有し、これで、使用される６個のコネクタの各々が、後述するようにＭＭＣカードに対応する第２アダプタの接点面に結合される。第３ロータリーコネクタ６は、コネクタ列Ｃ１と、そのコネクタを回路基板に結合させるはんだ付けピンＰ１３とを有する。
【００２３】
図８及び図９は、下から見た図４及び図６のロータリーコネクタを示している。これらの図ではＳＩＭカード及びＭＭＣカードの接点面Ｋ１及びＫ２及びはんだ付けピンは紙面から上へ向かっている。
【００２４】
図１０は、下から見た図７のロータリーコネクタを示している。ＳＩＭカード用の第２アダプタのコネクタＣ２３と、該アダプタの、ＭＭＣカードを使用するためのＭＭＣカード・スロットの接点面Ｋ２ｂとが図示されている。
【００２５】
図１１及び図１２は、図４の第２ロータリーコネクタと、ＳＩＭカード及びＭＭＣカードを斜め上及び斜め下から見た図である。これらの図は、第１アダプタの後縁に形成された半円形の溝Ｕ１と、ＳＩＭカードを内蔵するスペースＲ２とを示している。この溝は、スペースＲ２に挿入されたＳＩＭカードの約５ｍｍを露出させる。この溝で、容易に該カードを掴んで該カードを該アダプタから取り外すことができる。更に、図１１は、該ロータリーコネクタに差し込まれたＭＭＣカード又は第１アダプタを該ロータリーコネクタのコネクタに対向させて保持する第１ロータリーコネクタ４の保持ペグＨ１を示している。保持ペグＨ１は、ＭＭＣカードのための残されているスペースの端から該スペースの中心へ向かってほぼ該カードのレベルの方向に、該ロータリーコネクタの底より上の該カードの厚さにほぼ等しい量だけ約２ｍｍ延在している。
【００２６】
図１３及び図１４は、図６の第２ロータリーコネクタと、ＳＩＭカードと、ＭＭＣカードとを、斜め上及び斜め下から見た図である。図１３は、インターフェース・カード・スロットに据え付けられたＳＩＭカード又はＭＭＣカードを保持するための第２ロータリーコネクタ５のペグＨ１を示している。第２ロータリーコネクタは、この例では、溝ＧＲ１も有し、これにＳＩＭカードの端部が硬くはまり、従ってＳＩＭカードの接点面を接点ピンに対向する定位置に確実に位置させながらＳＩＭカードの横方向支持を改善する。この様にして、小型ＳＩＭカードの接点面ｉ１−ｉ４が、ＳＩＭカードの端の側で、ＭＭＣカードの接点面Ｍ１−Ｍ７のＭＭＣカードの端からの遠さより僅かに遠いので、ＳＩＭカードの接点面ｉ１−ｉ４をロータリーコネクタの接点面Ｃ１（図６）に良好に押しつけることも可能である。ＳＩＭカードがＭＭＣより僅かに深く入り込み、ＳＩＭカードが該ロータリーコネクタから遠い方の端で横方向支持を受ける、対応する構造を、当業者にとっては明白な幾つかの方法で工夫することができる。例えば、ロータリーコネクタの端、又はロータリーコネクタの端に近い底に、図１３に見られる溝ＧＲ１の中心側端の近くに、ギザギザを形成することができる。そのギザギザは、ＳＩＭカードが該ギザギザの近くでロータリーコネクタの端に対向して落ち着くのに、該ロータリーコネクタへのＭＭＣカードの入り込み深さを制限する。或いは、ロータリーコネクタ５は僅かに（例えば１ｍｍだけ）突出する可撓性の棒からなっていても良く、それはＭＭＣカードの下で下方に押されるであろうけれども、ＳＩＭカードの近くで定位置にとどまって該ＳＩＭカードを横方向に支持する。
【００２７】
図１５及び図１６は、図７の第３ロータリーコネクタとＳＩＭカード及びＭＭＣカードとを斜め上及び斜め下から見た図である。図１６は、ＳＩＭカード１のサイズ及び形状を有するスペースＲ２がどの様にアダプタ７に形成されているかを示しており、このスペースの底に、ＳＩＭカードを使用するためのコネクタがＳＩＭカードの接点面に対応する位置に置かれている。第３ロータリーコネクタ６に据え付けられたとき、ＳＩＭカードは、その前部ペア（front pare）が該アダプタと該ロータリーコネクタの底との間に捉えられているので、そのアダプタから落下することはできない。
【００２８】
図１７は、ＳＩＭカード及びＭＭＣカード用の、本発明の第１実施態様に従う１つのロータリーコネクタの結線を示している。移動局は、ＳＩＭカード及びＭＭＣカードを使用するために、第１ＡＳＩＣ回路７ａ１０を有し、これはインターフェース・カード・スロットに据えられたインターフェース・カードを制御する。該回路は接続部７ａ１１−７ａ１７を有する。ＳＩＭカード及びＭＭＣカードを使用するための、移動局のプロセッサに接続されている、移動局のチャネル、対応するリード線及び接点面が表ＩＩＩに示されている。
【００２９】
0004724806.tif 000004
【００３０】
インターフェース・カードへの電力供給は、電源ＡＳＩＣ７ａ２０を制御することにより結合インターフェース接続部７ａ１７から整えられており、それは、好ましくは、例えば２．７Ｖ／１．８Ｖレギュレータ・パワーＡＳＩＣ、即ちその出力をＳＩＭカード又はＭＭＣカードに適する例えば２．７Ｖ又は１．８Ｖに選択することのできる回路、である。電源ＡＳＩＣは入力７ａ２１を有し、これで該ＡＳＩＣは接続部７ａ１７から電圧を選択する制御を受け取る。該回路は出力７ａ２２を有し、これは、供給電圧用に保留されているＳＩＭカードの真ん中の接点面Ｃ１ｄと、供給電圧用に保留されているＭＭＣカードの接点面Ｃ２１ａとの両方に接続される。或いは、ＳＩＭカード及びＭＭＣカードのための２つの別々の出力を電源回路に設け、現在使用されているカードに適する出力を使用することもできる。
【００３１】
ＭＭＣカードの接点面Ｃ１ｃ及びＣ１ｆは、ＳＩＭカードの接点面Ｃ２１ｄと同じく接地されている。移動局は、好ましくは例えば選定されたマイクロスイッチを用いることにより、インターフェース・カード・スロット内のカードの存在を記録して、始めに該カードを第１の種類のカードとして使用しようと試み、もし失敗したら、それを第２の種類のカードとして使用しようと試みることによって該カードの種類を確認する。或いは例えば第２のマイクロスイッチ、又はマイクロスイッチ等の選定された接続装置によって作られる定位置に差し込まれたカードにより作られる接続部を用いて該カードの種類を確認することもできる。更に、カードの種類の確認をユーザーに委せるというのも１つの選択肢である。この場合には、現在のインターフェース・カードの種類をユーザーインターフェースを介して移動局に示す可能性がユーザーに与えられる。
【００３２】
図１８は、図６のロータリーコネクタの、それを制御する第２のＡＳＩＣ回路への接続を示している。ＳＩＭカードの３つの並列接点はロータリーコネクタの３つの接点ピンと多重化されている。前記第２ＡＳＩＣ回路は、３つの多重化されている接点ピンから電流接続のために２つを選択する２つの多重化されたチャネルを含んでいる。３つの多重化されている接点ピンのうちの１つは、ＳＩＭカードが使われているのか、それともＭＭＣカードが使われているのかに関わらず、グランドである。電源は、ＭＭＣカードが差し込まれているときにはＳＩＭカードの供給電圧がＳＩＭカード及びＭＭＣカードの共通電源から供給されないように構成されるのが好ましいけれども、必ずしもそう構成されなくても良い。ＳＩＭカード及びＭＭＣカード用の接点ピンの接続が表ＩＶに示されている。
【００３３】
0004724806.tif 000005
【００３４】
前記第２ＡＳＩＣ回路は、３状態バッファーＹ２１−Ｙ２３と、マルチプレクサＹ２５及びＹ２６とを現在のインターフェース・カードの種類に応じて制御する。例えばＳＩＭカードを使うとき、該マルチプレクサはＳＩＭ固有チャネルＧＲＯＵＮＤ及びＳＩＭ＿ＤＡＴＡとを接点ピンＣ１ｅ及びＣ１ｇに接続されるべきものとして選択し、３状態バッファーは伝導するように切り換えられ、３状態バッファーＹ２３は閉じられる。同様に、ＭＭＣカードを使うときには、３状態バッファーＹ２１及びＹ２２が閉じられ、Ｙ２３は伝導するように切り換えられ、マルチプレクサは表の中の下側の選択肢、即ちＭＭＣ＿ＣＬＫ及びＭＭＣ＿ＤＡＴＡを選択する。
【００３５】
図１９は図７のロータリーコネクタの、それを制御する第３のＡＳＩＣ回路７ｃ１０との第１の接続を示している。ＭＭＣカード用の、第３ロータリーコネクタの７本の接点ピンのうちの６本がＳＩＭカードを使用するために多重化されている。この実施態様では、多重化は３状態バッファーを使用するだけで実現されている。接点ピンの接続は表ＩＩＩに示されている。ＳＩＭカードを使用するために必要なチャネルＸ２、Ｘ４及びＸ１０のために、３状態バッファーＺ２１、Ｚ２２及びＺ２３が対応する順序で存在する。ＭＭＣカードのチャネルＸ６、Ｘ９及びＸ１１のために、対応する３状態バッファーＺ３０，Ｚ３１及びＺ３２がある。これらは、互いに反対の制御を受け取るようになっているが、そのことは、ＳＩＭカードを使用するときには３状態バッファーＺ２１−Ｚ２３が伝導状態となり、３状態バッファーＺ３０−Ｚ３２が閉じられることを意味する。電源は、この場合も前の場合と同じく別のレギュレータ・パワーＡＳＩＣ７ａ２１で構成され、これは、現在のインターフェース・カードの種類に応じて供給電圧を第３ロータリーコネクタの第４接点ピンＣ１ｄに供給する。グランドは、図１８の説明において記述したように、第３ロータリーコネクタに接続されている。図７のロータリーコネクタの１つの第１配列における接点ピンの接続が表Ｖに示されている。
【００３６】
0004724806.tif 000006
【００３７】
図２０は、図７のロータリーコネクタの、それを制御する第４のＡＳＩＣ回路７ｄ１０との第２の接続を示している。この接続は、３状態バッファーの代わりに１つの３対マルチプレクサＭＵＸが使われている点を除いて、図１７の接続と同じである。第４のＡＳＩＣは、電源ＡＳＩＣの制御出力に加えて３つの出力だけを有する。ＭＭＣ＿ＣＭＤ及びＳＩＭ＿ＲＳＴチャネルのための出力７ｄ１１は接点ピンＣ１ｂに接続され、出力７ｄ１２はチャネルＭＭＣ＿ＣＬＫおＳＩＭ＿ＣＬＫのための接点ピンＣ１ｅに接続され、出力７ｄ１３はチャネルＭＭＣ＿ＤＡＴＡ及びＳＩＭ＿ＤＡＴＡのための接点ピンＣ１ｇに接続されている。
【００３８】
図２１は、図３のアダプタ・カード７の好ましい接続態様を示している。このアダプタ・カードは好ましくはプラスチックから成っており、ＳＩＭカードを接続するための接点ピンへのリード線がその中に設けられている。該アダプタ・カードの接点ピンの接続が表ＶＩに示されている。
【００３９】
0004724806.tif 000007
【００４０】
カードの側に凹部ＲＣ１も形成されている。該凹部で、機械的認識により、インターフェース・カード・スロットに結合されたアダプタ・カードを示すことが可能である。これを、例えば、インターフェース・カード・スロットの側壁の、アダプタ・カードの凹部ＲＣ１に対応する位置にマイクロスイッチを設置するなど、当業者に知られている幾つかの方法で実現することができる（図２２に示されている）。普通のＭＭＣカードは、その側で該マイクロスイッチを押すのに対して、該アダプタ・カードの側の該凹部は該マイクロスイッチの可動部分がインターフェース・カード・スロットの側壁から離れるのを許す。
【００４１】
図２２は、本発明の移動局のインターフェース・カード・スロットの拡大側面図である。この図は、移動局の側のインターフェース・カード・スロットＳＬＯＴを示している。インターフェース・カード・スロットの縁から長方形に見えるスペースＲ０は、４つの側壁により囲まれている。最も広い壁、即ち少なくともＭＭＣカードの幅の壁、には参照符ＷＡ及びＷＢが付されている。インターフェース・カードに置かれるＭＭＣカードの接点面と接触するコネクタ列Ｃ１が壁ＷＡに据え付けられている。ＭＭＣカードは、接点面を壁ＷＡに向けてインターフェース・カード・スロット内に置かれる。ＳＩＭカードを使用するにためにコネクタ・グループＣ２１が壁ＷＢに設置されている。従って、ＳＩＭカードはＭＭＣカードとは反対に、即ち、接点面が壁ＷＢに向くように、置かれなければならない。この様にして、接点ピンを多重化しなくても、種々のインターフェース・カードを同じインターフェース・カード・スロットに適合させることが可能となっている。
【００４２】
図２２は、この実施態様では必要のない、アダプタ・カードを認識するためのマイクロスイッチμＳも示している。この図は、本発明の第２の又は第３の実施態様に使用されるスペースＲ０の側にどの様にマイクロスイッチを取り付けられるかを示している。
【００４３】
この説明と特許請求項とにおいて、文脈が別様に必要としない限りは、“含む”という語は、名指された実体又はフェーズ又はそのグループを含むことを意味し、他の実体又はフェーズ又はそのグループを排除することを意味しない。
【００４４】
本書は、例を挙げて本発明の実施態様を示したものである。本発明は前述した実施態様の細部に限定されるものではなく、本発明の特徴から逸脱せずに本発明を他の形で実施し得ることは当業者にとっては明らかなことである。提示した実施態様は説明をするものであって、限定をするものではないと解されるべきである。例えば、前述した、ＳＩＭカード及びＭＭＣカードの接点面に対応するコネクタのピッチは、該コネクタがそれらに対応する接点面と接触する限りは、必ずしもそれらのカードにおけるピッチと正確に同じでなくても良い。本発明の見地からは、ＳＩＭカード及びＭＭＣカードに共通のインターフェース・カード・スロットに加えて、装置に他のインターフェース・カード・スロットがあるか無いか、或いは本発明のインターフェース・カード・スロットが装置の唯一のインターフェース・カード・スロットであるか無いか、ということは無意味である。この様に、本発明の実施及び利用の可能性は、添付の特許請求項のみにより限定される。この様に、特許請求項により定義される本発明の種々の代替実施態様、及び同等の実施態様も本発明の範囲内に属する。
【図面の簡単な説明】
【図１】上から見た小型ＳＩＭカード及びその接点面並びにＭＭＣカード及びその接点面を示す図である。
【図２】本発明の移動局のブロック図である。
【図３】側から見た、本発明の移動局の構造を示す。
【図４】上から見た、本発明の第１実施態様の第１面に従う移動局のインターフェース・カード・スロットのロータリーコネクタを示す図である。
【図５】上から見た、本発明の第１実施態様の第２面に従う移動局のインターフェース・カード・スロットのロータリーコネクタを示す図である。
【図６】上から見た、本発明の第２実施態様に従う移動局のインターフェース・カード・スロットのロータリーコネクタを示す図である。
【図７】上から見た、本発明の第３実施態様に従う移動局のインターフェース・カード・スロットのロータリーコネクタを示す図である。
【図８】図４及び図５のロータリーコネクタを下から見た図である。
【図９】図６のロータリーコネクタを下から見た図である。
【図１０】図７のロータリーコネクタを下から見た図である。
【図１１】図４及び図５のロータリーコネクタを斜め上から見た図である。
【図１２】図４及び図５のロータリーコネクタを斜め下から見た図である。
【図１３】図６のロータリーコネクタを斜め上から見た図である。
【図１４】図６のロータリーコネクタを斜め下から見た図である。
【図１５】図７のロータリーコネクタを斜め上から見た図である。
【図１６】図７のロータリーコネクタを斜め下から見た図である。
【図１７】図４及び図５のロータリーコネクタの、それを制御するＡＳＩＣ回路との結合を示す図である。
【図１８】図６のロータリーコネクタの、それを制御するＡＳＩＣ回路との結合を示す図である。
【図１９】図７のロータリーコネクタの、それを制御するＡＳＩＣ回路との第１の結合を示す図である。
【図２０】図７のロータリーコネクタと、それを制御するＡＳＩＣ回路との１つの第２の結合を示す図である。
【図２１】図１０のアダプター・カードの結合を示す図である。
【図２２】本発明の移動局のインターフェース・カード・スロットを拡大して側から見た図である。
【符号の説明】
１…小型ＳＩＭカード
３…ＭＭＣカード
ｉ１−ｉ８，Ｍ１−Ｍ７…接点面
μＰ…プロセッサ
ＭＳ…移動局
ＰＷＲ…電圧源
Ｒ０…スペース
ＳＬＯＴ…インターフェース・カード・スロット
【図１】
0004724806.tif 000008
【図２】
0004724806.tif 000009
【図３】
0004724806.tif 000010
【図４】
0004724806.tif 000011
【図５】
0004724806.tif 000012
【図６】
0004724806.tif 000013
【図７】
0004724806.tif 000014
【図８】
0004724806.tif 000015
【図９】
0004724806.tif 000016
【図１０】
0004724806.tif 000017
【図１１】
0004724806.tif 000018
【図１２】
0004724806.tif 000019
【図１３】
0004724806.tif 000020
【図１４】
0004724806.tif 000021
【図１５】
0004724806.tif 000022
【図１６】
0004724806.tif 000023
【図１７】
0004724806.tif 000024
【図１８】
0004724806.tif 000025
【図１９】
0004724806.tif 000026
【図２０】
0004724806.tif 000027
【図２１】
0004724806.tif 000028
【図２２】
0004724806.tif 000029